(57)【要約】【課題】保護部材の組み付けおよび設置作業を容易にすることができるＬＥＤ照明ユニットを提供すること。【解決手段】シール本体部５１と、電線Ｗを挿通させる挿通孔６０ａを有してなる電線挿通部６０とを有してなるシール部５０と、傾斜面９１ｂを下面９１ａに有してなるプロテクタ基部９１と、一対の尖形部９２ｄと、上面９３ｂおよび下面９３ｃが傾斜面９１ｂと等しく傾斜された一対の傾斜配置突起９３ａとを有してなる開口プロテクタ９０と、尖形部９２ｄが挿通される外表面プロテクタ側係合部８１を有してなる外表面プロテクタ８０と、を有してなり、ハウジング１０が、傾斜面９１ｂに摺接されるハウジング傾斜面１０ｃと、ハウジング１０の開口端面１０ｄとプロテクタ基部９１の後端面９１ｅとが揃えられて、尖形部９２ｄが挿通される第一のハウジング側係合部１４と、各傾斜配置突起９３ａが係合される第二のハウジング側係合部１５と、を有してなる。【選択図】図１
2012221747.tif 000002
【特許請求の範囲】
【請求項１】
ＬＥＤ素子が実装された回路基板と、該回路基板に一端を接続された少なくとも１本の電線を、一面が開口された箱型形状、かつ光透過性の材料からなるハウジングの開口から外部に引き出して前記回路基板を収容するＬＥＤ照明ユニットであって、
前記ハウジング内に挿入可能に形成されたシール本体部と、前記ハウジング内への挿入方向で前記電線を前記シール本体部に挿通させる挿通孔を有してなる電線挿通部と、を有してなり前記回路基板に比して前記開口側に配置されるシール部と、
前記ハウジング内に挿入可能に形成され、後方から前方に向けて上方に傾斜してなる傾斜面を下面に有してなるプロテクタ基部と、該プロテクタ基部の両側部から前記ハウジング内への挿入方向で、前記プロテクタ基部の前方かつ斜め上方に尖形形状で突出された一対の尖形部と、前記プロテクタ基部の両側面から突起され、上面および下面が前記傾斜面と等しく傾斜されて設けられた一対の傾斜配置突起とを有してなり、前記シール部に比して前記ハウジングの開口側に配置される開口プロテクタと、
前記ハウジングの外表面を覆い、前記開口プロテクタが前記ハウジング内に挿入された場合、前記尖形部が挿通される外表面プロテクタ側係合部を有してなる外表面プロテクタと、
を有してなり、
前記ハウジングが、
開口端部の内部下面に前記傾斜面と等しく傾斜され、前記開口プロテクタが前記ハウジング内に挿入される場合、前記傾斜面に摺接されるハウジング傾斜面と、前記ハウジングの開口端面と前記プロテクタ基部の後端面とが揃えられた状態で、前記尖形部が挿通される第一のハウジング側係合部と、各傾斜配置突起が係合される第二のハウジング側係合部と、を有してなることを特徴とするＬＥＤ照明ユニット。
【請求項２】
前記シール部が、
前記電線挿通部の上方に配置され、挿入方向で前記シール本体部の後端面から後方に突出された上部突出片を有してなり、
前記開口プロテクタが、
前記ハウジング内への挿入方向で前記プロテクタ基部の前端面から突出され、前記プロテクタ基部がハウジング内に挿入された場合、前記電線挿通部に向かい合う位置に配置される突出電線ガイド部
を有してなることを特徴とする請求項１に記載のＬＥＤ照明ユニット。
【請求項３】
前記突出電線ガイド部が、
前記電線の延在方向に直交する断面が前記電線の径に対応した曲面を形成されてなる電線ガイド溝が形成され、前記プロテクタ基部が前記ハウジング内に挿入された場合に、前記電線ガイド溝が前記挿通孔に向かい合う位置に配置されることを特徴とする請求項２に記載のＬＥＤ照明ユニット。
【請求項４】
前記ハウジングが、
取り付け先の取り付け面に締結部材によって固定される固定部を有してなり、
前記開口プロテクタが、
前記固定部が取り付け先の取り付け面に固定される場合、前記プロテクタ基部の後端面が取り付け先の取り付け面に当接されて前記ハウジング内の所定位置に配置されることを特徴とする請求項１、２または３に記載のＬＥＤ照明ユニット。
【発明の詳細な説明】
【技術分野】
【０００１】
本発明は、ＬＥＤ（発光ダイオード）素子が実装された回路基板がハウジング内に収容されてなるＬＥＤ照明ユニットに関する。
【背景技術】
【０００２】
従来、ＬＥＤ（発光ダイオード）素子が実装された回路基板がハウジング内に収容されてなるＬＥＤ照明ユニットは、回路基板に一端が接続された電線を、ハウジングの開口から防水性を維持しつつ外部に引き出すようにしている。このように、ハウジング内の収容物から電線を引き出すものは、ハウジング内に収容された収容物を保護するため、ハウジングの開口部等を覆う保護部材を備えるものが提案されている（例えば、特許文献１参照）。
【先行技術文献】
【特許文献】
【０００３】
【特許文献１】特開平７−１９３９４２号公報
【発明の概要】
【発明が解決しようとする課題】
【０００４】
特許文献１に記載されたワイヤーハーネスプロテクタは、ワイヤーハーネスを保護収容するプロテクタ本体とカバーとからなる。カバーには複数の貫通孔が集中して設けられており、プロテクタ本体に収納したワイヤーハーネスにおける複数のコネクタを各貫通孔から該ワイヤーハーネスの収納配設方向と直交して突出させて、コネクタ押さえを介して固定することにより多極コネクタを形成している。
【０００５】
しかしながら、特許文献１に記載されたワイヤーハーネスプロテクタでは、ワイヤーハーネスプロテクタの組みつけと、ワイヤーハーネスプロテクタの設置場所への固定とを別に行う必要があり設置作業が煩雑になるという問題があった。
【０００６】
本発明は、上記に鑑みてなされたものであって、保護部材の組み付けおよび設置作業を容易にすることができるＬＥＤ照明ユニットを提供することを目的とする。
【課題を解決するための手段】
【０００７】
上述した課題を解決し、目的を達成するために、本発明の請求項１にかかるＬＥＤ照明ユニットは、ＬＥＤ素子が実装された回路基板と、該回路基板に一端を接続された少なくとも１本の電線を、一面が開口された箱型形状、かつ光透過性の材料からなるハウジングの開口から外部に引き出して前記回路基板を収容するＬＥＤ照明ユニットであって、前記ハウジング内に挿入可能に形成されたシール本体部と、前記ハウジング内への挿入方向で前記電線を前記シール本体部に挿通させる挿通孔を有してなる電線挿通部と、を有してなり前記回路基板に比して前記開口側に配置されるシール部と、前記ハウジング内に挿入可能に形成され、後方から前方に向けて上方に傾斜してなる傾斜面を下面に有してなるプロテクタ基部と、該プロテクタ基部の両側部から前記ハウジング内への挿入方向で、前記プロテクタ基部の前方かつ斜め上方に尖形形状で突出された一対の尖形部と、前記プロテクタ基部の両側面から突起され、上面および下面が前記傾斜面と等しく傾斜されて設けられた一対の傾斜配置突起とを有してなり、前記シール部に比して前記ハウジングの開口側に配置される開口プロテクタと、前記ハウジングの外表面を覆い、前記開口プロテクタが前記ハウジング内に挿入された場合、前記尖形部が挿通される外表面プロテクタ側係合部を有してなる外表面プロテクタと、
を有してなり、前記ハウジングが、開口端部の内部下面に前記傾斜面と等しく傾斜され、前記開口プロテクタが前記ハウジング内に挿入される場合、前記傾斜面に摺接されるハウジング傾斜面と、前記ハウジングの開口端面と前記プロテクタ基部の後端面とが揃えられた状態で、前記尖形部が挿通される第一のハウジング側係合部と、各傾斜配置突起が係合される第二のハウジング側係合部と、を有してなることを特徴とする。
【０００８】
また、上述した課題を解決し、目的を達成するために、本発明の請求項２にかかるＬＥＤ照明ユニットは、前記シール部が、前記電線挿通部の上方に配置され、挿入方向で前記シール本体部の後端面から後方に突出された上部突出片を有してなり、前記開口プロテクタが、前記ハウジング内への挿入方向で前記プロテクタ基部の前端面から突出され、前記プロテクタ基部がハウジング内に挿入された場合、前記電線挿通部に向かい合う位置に配置される突出電線ガイド部を有してなることを特徴とする。
【０００９】
また、本発明の請求項３にかかるＬＥＤ照明ユニットは、上記の発明において、前記突出電線ガイド部が、前記電線の延在方向に直交する断面が前記電線の径に対応した曲面を形成されてなる電線ガイド溝が形成され、前記プロテクタ基部が前記ハウジング内に挿入された場合に、前記電線ガイド溝が前記挿通孔に向かい合う位置に配置されることを特徴とする。
【００１０】
また、本発明の請求項４にかかるＬＥＤ照明ユニットは、上記の発明において、前記ハウジングが、取り付け先の取り付け面に締結部材によって固定される固定部を有してなり、前記開口プロテクタが、前記固定部が取り付け先の取り付け面に固定される場合、前記プロテクタ基部の後端面が取り付け先の取り付け面に当接されて前記ハウジング内の所定位置に配置されることを特徴とする。
【発明の効果】
【００１１】
本発明の請求項１にかかるＬＥＤ照明ユニットは、設置が完了すると、すなわち、前記ハウジングの開口端面と前記プロテクタ基部の後端面とが揃えられた状態になると、前記一対の尖形部が前記第一のハウジング側係合部および前記第一の外表面プロテクタ側係合部に深く挿通され、前記各傾斜配置突起が前記第二のハウジング側係合部に係合される。このため、前記開口プロテクタが前記ハウジングに固定されるので、保護部材の組み付けおよび設置作業を容易にすることができる。
【００１２】
本発明の請求項２にかかるＬＥＤ照明ユニットは、前記シール部が、前記電線挿通部の上方に配置され、挿入方向で前記シール本体部の後端面から後方に突出された前記上部突出片を有してなり、前記開口プロテクタが、前記ハウジング内への挿入方向で前記プロテクタ基部の前端面から突出され、前記プロテクタ基部が前記ハウジング内に挿入された場合、前記電線挿通部に向かい合う位置に配置される突出電線ガイド部を有してなるので、前記電線が前記上部突出片、前記プロテクタ基部、および前記突出電線ガイド部に沿って屈曲された状態で前記ハウジング内に保持され、結果的に前記電線と前記回路基板との接続部への外力負荷を低減することができる。
【００１３】
本発明の請求項３にかかるＬＥＤ照明ユニットは、前記突出電線ガイド部が、前記電線の延在方向に直交する断面が前記電線の径に対応した曲面を形成されてなる電線ガイド溝が形成され、前記プロテクタ基部が前記ハウジング内に挿入された場合に、前記電線ガイド溝が前記挿通孔に向かい合う位置に配置されるので、前記電線ガイド溝によって前記電線を確実にガイドすることができ、結果的に、より確実に前記電線の屈曲方向を規制することができる。
【００１４】
本発明の請求項４にかかるＬＥＤ照明ユニットは、前記ハウジングが、取り付け面に締結部材によって固定される固定部を有してなり、前記固定部が締結部材の締結によって取り付け面に固定される際、前記開口プロテクタの後端面が取り付け面に当接されることによって、前記開口プロテクタが前記ハウジング内の所定位置に移動配置されるので、ＬＥＤ照明ユニット１の設置が容易となる。
【図面の簡単な説明】
【００１５】
【図１】図１は、本発明の実施の形態にかかるＬＥＤ照明ユニットの分解斜視図である。
【図２】図２は、図１に示したＬＥＤ照明ユニットと、ＬＥＤ照明ユニットに接続されたコネクタとを示した斜視図である。
【図３】図３は、図１に示したハウジングおよび開口プロテクタの拡大図である。
【図４】図４は、図１に示したＬＥＤ照明ユニットの取り付け先となるボデーの取り付け面周辺を示した図である。
【図５】図５は、図１に示したＬＥＤ照明ユニットの要部断面図である。
【図６】図６は、図１に示したハウジング内に開口プロテクタが取り付けられた状態を示した斜視図である。
【図７】図７は、図６に示したＬＥＤ照明ユニットのＢ‐Ｂ線断面図である。
【図８】図８は、ＬＥＤ照明ユニットの組み付け手順について説明するための図である。
【図９】図９は、ＬＥＤ照明ユニットの組み付け手順について説明するための図である。
【図１０】図１０は、ＬＥＤ照明ユニットの組み付け手順について説明するための図である。
【発明を実施するための形態】
【００１６】
以下、図面を参照して、この発明にかかるＬＥＤ照明ユニットの好適な実施の形態を詳細に説明する。
【００１７】
（実施の形態）
図１は、本発明の実施の形態にかかるＬＥＤ照明ユニット１の分解斜視図である。図２は、図１に示したＬＥＤ照明ユニット１と、ＬＥＤ照明ユニット１に接続されたコネクタＣとを示した斜視図である。図３は、図１に示したハウジング１０および開口プロテクタ９０の拡大図である。図４は、図１に示したＬＥＤ照明ユニット１の取り付け先となるボデーＤの取り付け面Ｂ２周辺を示した図である。図５は、図１に示したＬＥＤ照明ユニット１の要部断面図である。図６は、図１に示したハウジング１０内に開口プロテクタ９０が取り付けられた状態を示した斜視図である。図７は、図６に示したＬＥＤ照明ユニット１のＢ‐Ｂ線断面図である。
なお、便宜上、図中の互いに直交する矢印の方向を前後左右上下方向とする。
ＬＥＤ照明ユニット１は、図１および図２に示すように、ハウジング１０、ＬＥＤ照明部３０、ワイヤーハーネス部４０、シール部５０およびプロテクタ７０を有してなる。このＬＥＤ照明ユニット１は、取り付け先の壁、例えば、車体のボデーＢに形成されたワイヤーハーネス挿通口Ｂ１（図４参照）にワイヤーハーネス部を挿通させた状態で取りつけ面Ｂ２に取り付けられ、ワイヤーハーネス挿通口Ｂ１を挿通させた側に接続されたコネクタＣを介して接続先に接続されるようになっている。
【００１８】
まず、ハウジング１０について説明する。
ハウジング１０は、一面が開口された箱型形状、かつ光透過性の材料からなり、内部にＬＥＤ照明部３０を収容するものである。
このハウジング１０は、光透過部１１および開口端部１２を有してなる。
【００１９】
光透過部１１は、光透過性の材料からなり、後述するＬＥＤ素子３２から発せされる光を外部に透過させる部分である。
開口端部１２は、ハウジング１０の開口１０ａ側の端部を形成する部分である。この開口端部１２は、固定部１３、第一のハウジング側係合部１４、第二のハウジング側係合部１５、および第三のハウジング側係合部１６を有してなる。
【００２０】
固定部１３は、締結部材としてのボルトによって取り付け面Ｂ２に固定される部分である。この固定部１３は、開口端部１２の対向する上壁１２ａおよび下壁１２ｄのそれぞれの外面から上方あるいは下方に向けて立設された一対の板状突出部１２ｂを有してなり、各板状突出部１２ｂにはハウジング固定用のボルトがセットされるボルト孔１２ｃが形成されている。ハウジング１０は、このボルト孔１２ｃと、このボルト孔１２ｃに対応してボデーＢに形成されたボデー側ボルト孔Ｂ３とにボルトを挿通させて取り付け面Ｂ２に固定されるようになっている。
【００２１】
第一のハウジング側係合部１４は、後述する開口プロテクタ９０の一対の尖形部９２ｄと係合するものである。この第一のハウジング側係合部１４は、尖形部９２ｄの形状に対応して開口端部１２の上壁の２箇所に形成された開口である。
第二のハウジング側係合部１５は、図３に示すように、後述する開口プロテクタ９０の傾斜配置突起部９３ａと係合するものである。この第二のハウジング側係合部１５は、傾斜配置突起部９３ａの形状に対応して開口端部１２の両側壁１２ｅの各側壁１２ｅに上下２箇所ずつ、計４箇所に形成された長孔である。
第三のハウジング側係合部１６は、図５に示すように、後述する外表面プロテクタ８０の第二の外表面側プロテクタ係合部８２と係合する突起部である。第三のハウジング側係合部１６と第二の外表面側プロテクタ係合部８２とが係合されることによって、外表面プロテクタ８０がハウジング１０に係止されるようになっている。
【００２２】
また、ハウジング１０は、図５に示すように、開口端部１２の内部下面１０ｂにプロテクタ基部の傾斜面９１ｂと等しく傾斜され、開口プロテクタ９０がハウジング１０内に挿入される場合、後述する開口プロテクタ９０の傾斜面９１ｂに摺接されるハウジング傾斜面１０ｃを有してなる。
【００２３】
次に、ＬＥＤ照明部３０およびワイヤーハーネス部４０について説明する。
ＬＥＤ照明部３０は、図１に示すように、回路基板３１およびＬＥＤ素子３２を有してなる。
回路基板３１は、ＬＥＤ素子３２が実装され、基板上に形成された端子３３を介してワイヤーハーネス部４０の各電線Ｗに接続される。この回路基板３１は、いわゆるプリント配線板によって実現され、電源回路等の導体パターンが形成されている。また、この実施の形態では、回路基板３１は、基板上に形成された端子３３を介して、信号線、あるいは給電線としての４本の電線Ｗに接続している。各電線Ｗは、半田付け処理等を行うことによって端子３３に接続される。
ＬＥＤ素子３２は、箱状のパッケージの上面に発光部があり、図示しない電源入力端子が回路基板３１の図示しない電源回路に接続されている。図示しない電源回路は、基板上に設けられた端子３３を介して４本の電線Ｗに接続される。ＬＥＤ素子３２は、電源回路を介して電源を供給されることによって点灯する。
ワイヤーハーネス部４０は、４本の電線Ｗがチューブ４１によって束ねられてなる。
【００２４】
次に、シール部５０について説明する。
シール部５０は、ハウジング１０内に挿入可能に形成されたシール本体部５１と、ハウジング１０内への挿入方向（前後方向）で４本の電線Ｗの各電線Ｗをシール本体部５１に挿通させる４つの挿通孔６０ａを有してなる電線挿通部６０と、電線挿通部６０の上方に配置され、前後方向でシール本体部５１の後端面から後方に突出された上部突出片６１と、シール本体部５１の後端面５１ａの両側部から後方に突出された一対の側部突出片６２とを有してなり、回路基板３１に比して開口１０ａ側に配置されてなる。
【００２５】
シール本体部５１は、より具体的には、前後方向に直交する断面がほぼ矩形状をなし、シール本体部５１と、上部突出片６１および側部突出片６２との境界でシール本体部５１側が低くなるような段差が形成されるようになっている。このような、シール本体部５１の外周には、段差に収まるように環状シール部材５２が配置されている。このように、シール部５０は、シール本体部５１の外周とハウジング１０の内壁面との間の隙間を環状シール部材５２によって埋めることによって防水性を高めるようになっている。
【００２６】
電線挿通部６０は、４本の電線Ｗの各電線Ｗが並列して保持されるように、４つの挿通孔６０ａが並列して形成されてなる。４つの挿通孔６０ａの各挿通孔６０ａには円筒状シール部材６０ｂが収納されるようになっている。このように、シール部５０は、この円筒状シール部材６０ｂによって各電線Ｗと各挿通孔６０ａとの間の隙間を埋めて防水性を高めるようになっている。
【００２７】
次に、プロテクタ７０について説明する。
プロテクタ７０は、ハウジング１０を保護する保護部材である。このプロテクタ７０は、外表面プロテクタ８０および開口プロテクタ９０を有してなる。
外表面プロテクタ８０は、ハウジング１０の外表面を覆う光透過性の材料からなる保護部材である。この外表面プロテクタ８０は、ハウジング１０の外表面の形状に応じて収容部が形成されてなる。より具体的には、外表面プロテクタ８０は、一面が開口された箱型形状をなしている。
また、外表面プロテクタ８０は、第一の外表面プロテクタ側係合部８１および第二の外表面側プロテクタ側係合部８２を有してなる。
第一の外表面プロテクタ側係合部８１は、外表面プロテクタ８０がハウジング１０に取り付けられた場合、第一のハウジング側係合部１４に対応する位置に形成された一対の開口である。すなわち、開口プロテクタ９０の一対の尖形部９２ｄが挿通されるように形成された一対の開口である。
第二の外表面側プロテクタ係合部８２は、外表面プロテクタ８０の下壁８０ａに形成された開口である。この第二の外表面側プロテクタ係合部８２は、図５に示すように、外表面プロテクタ８０がハウジング１０に取り付けられた場合、第三のハウジング側係合部１６に係合されるようになっている。
【００２８】
開口プロテクタ９０は、図６に示すように、ハウジング１０の開口１０ａを覆うものである。
この開口プロテクタ９０は、プロテクタ基部９１、一対の突出板部９２、開口プロテクタ側係合部９３および突出電線ガイド部９４を有してなる。
プロテクタ基部９１は、開口プロテクタ９０の基部となる部分である。このプロテクタ基部９１は、ハウジング１０内に挿入可能なほぼ直方体形状に形成され、後方から前方に向けて上方に傾斜してなる傾斜面９１ｂを下面９１ａに有してなる。
【００２９】
一対の突出板部９２の各突出板部９２は、プロテクタ基部９１の側部からプロテクタ基部９１の前方に突出された板状の突出部分である。
各突出板部９２は、上傾斜縁面９２ａ、下傾斜縁面９２ｂおよび前縁面９２ｃを有してなる。
上傾斜縁面９２ａは、突出板部９２の上面を形成する縁面であり、前方に向けて上方に傾斜してなる。
下傾斜縁面９２ｂは、突出板部９２の下面を形成する縁面であり、前方に向けて上方に傾斜してなる。この下傾斜縁面９２ｂは、プロテクタ基部９１の傾斜面９１ｂと等しく傾斜されてなる。
前縁面９２ｃは、突出板部９２の前面を形成する縁面であり、鉛直面になっている。
このような各突出板部９２は、上傾斜縁面９２ａおよび前縁面９２ｃとの境界部分が最上部となり、その最上部がプロテクタ基部９１の前方かつ斜め上方に尖形形状で突出された尖形部９２ｄになっている。すなわち、プロテクタ基部９１は、一対の尖形部９２ｄを有してなる。
【００３０】
開口プロテクタ側係合部９３は、第二のハウジング側係合部１５と係合されるものである。この開口プロテクタ側係合９３部は、プロテクタ基部９１の両側面９１ｃの各側面９１ｃに各側面９１ｃから突起して設けられた対をなす傾斜配置突起９３ａからなる。この実施の形態では上下２箇所ずつ、計４箇所に各側面９１ｃから突起して設けられた傾斜配置突起９３ａからなる。各傾斜配置突起９３ａは、ほぼ直方体形状をなし、上面９３ｂおよび下面９３ｃがプロテクタ基部９１の傾斜面９１ｂと等しく傾斜されるように配置されている。また、各傾斜配置突起９３ａは、前面９３ｄが傾斜配置突起９３ａの前端９３ｅから後端９３ｆに向けてプロテクタ基部９１の側面９１ｃからの距離が離れるように傾斜されてなる。
【００３１】
このような、開口プロテクタ９０は、図７に示すように、ハウジング１０内に挿入される場合、開口プロテクタ９０の傾斜面９１ｂがハウジング傾斜面１０ｃに摺接されることによって、斜め上方（図中矢印方向）に移動され、一対の尖形部９２ｄが第一のハウジング側係合部１４および第一の外表面プロテクタ側係合部８１に挿通され、各傾斜配置突起９３ａが第二のハウジング側係合部１５に係合されるようになっている。
【００３２】
突出電線ガイド部９４は、前後方向でプロテクタ基部９１の前端面９１ｄから前方に向けて突出され、開口プロテクタ９０がハウジング１０内に挿入された場合、電線挿通部６０に向かい合う位置に配置される。この突出電線ガイド部９４は、４本の電線Ｗの配線方向をガイドするものである。より具体的には、突出電線ガイド部９４は、電線Ｗの延在方向に直交する断面が電線Ｗの径に対応して形成された４つの電線ガイド溝９４ａが並べて形成されてなる。また、突出電線ガイド部９４は、開口プロテクタ９０がハウジング１０内に挿入された場合、各電線ガイド溝９４ａが前後方向で各挿通孔６０ａに向かい合う位置に配置されるようになっている。
【００３３】
次に、図８−図１０を用いてＬＥＤ照明ユニット１の組み付け手順について説明する。図８−図１０は、ＬＥＤ照明ユニット１の組み付け手順について説明するための図である。なお、図８−図１０において、上側の図（図中（ａ）で示した図）が図２に示したＬＥＤ照明ユニット１およびコネクタＣのＡ‐Ａ線断面図であり、下側の図（図中（ｂ）で示した図）が上側の図の要部拡大図である。
【００３４】
まず、作業者は、ハウジング１０内に回路基板３１およびシール部５０を取り付けた後、第三のハウジング側係合部１６と第二の外表面側プロテクタ係合部８２とが係合するように外表面プロテクタ８０をハウジング１０に取り付け、さらに開口プロテクタ９０の一対の尖形部９２ｄを、第一のハウジング側係合部１４および第一の外表面プロテクタ側係合部８１に挿通させる。（図８参照）。これにより、開口プロテクタ９０がハウジング１０の開口１０ａ位置で一時的に係止された状態となる。ここで、シール部５０の各挿通孔６０ａには円筒状シール部材６０ｂを介して各電線Ｗが挿通されているものとする。
【００３５】
その後、作業者は、ハウジング１０のボデーＢへの取り付け作業を開始する（図９参照）。このボデーＢへの取り付け作業は、ハウジング１０の固定部１３のボルト孔１２ｃと、ボデー側ボルト孔Ｂ３とにボルト１００を挿通させてボルト１００で締結する作業である。このようなボルト１００の締結によってプロテクタ基部９１の後端面９１ｅが取り付け面Ｂ２に当接され、結果として開口プロテクタ９０がハウジング１０内に移動される。より具体的には、開口プロテクタ９０は、プロテクタ基部９１の後端面９１ｅがボデーＢの取り付け面Ｂ２に形成されたワイヤーハーネス挿通孔Ｂ１を跨いで取り付け面Ｂ２に当接されるようになっている。
この開口プロテクタ９０の前方への移動の際、開口プロテクタ９０はハウジング１０内のハウジング傾斜面１０ｃに傾斜面９１ｂを摺接させながら斜め上方に移動され、この移動によって一対の尖形部９２ｄがより深く第一のハウジング側係合部１４および第一の外表面プロテクタ側係合部８１に挿通され、各傾斜配置突起９３ａが第二のハウジング側係合部１５の係合位置に近づくようになっている。
また、ボルト１００の締結とともに開口プロテクタ９０が移動することによって、開口プロテクタ９０とシール部５０とが近づき、上部突出片６１、プロテクタ基部９１、および突出電線ガイド部９４によって各電線Ｗの保持位置が規制され、各電線Ｗが屈曲されていくようになっている。
【００３６】
その後、作業者は、ボルト１００の締結を完了させることによって、ハウジング１０のボデーＢへの取り付け作業が完了する（図１０参照）。ハウジング１０のボデーＢへの取り付け作業が完了すると、ハウジング１０の開口端面１０ｄとプロテクタ基部９１の後端面９１ｅとが揃えられた状態で、一対の尖形部９２ｄが第一のハウジング側係合部１４および第一の外表面プロテクタ側係合部８１に深く挿通され、各傾斜配置突起９３ａが第二のハウジング側係合部１５に係合される。これにより、開口プロテクタ９０がハウジング１０に固定される。
また、ハウジング１０のボデーＢへの取り付け作業が完了すると、各電線Ｗが上部突出片６１、プロテクタ基部９１、および突出電線ガイド部９４に沿って屈曲された状態で保持される。すなわち、ストレインリリーフ構造が構成されるようになっている。
【００３７】
本発明の実施の形態のＬＥＤ照明ユニット１は、ハウジング１０のボデーＢへの取り付け作業が完了すると、すなわち、ハウジング１０の開口端面１０ｄとプロテクタ基部９１の後端面９１ｅとが揃えられた状態になると、一対の尖形部９２ｄが第一のハウジング側係合部１４および第一の外表面プロテクタ側係合部８１に深く挿通され、各傾斜配置突起９３ａが第二のハウジング側係合部１５に係合される。これにより、開口プロテクタ９０がハウジング１０に固定されるので、保護部材の組み付けおよび設置作業を容易にすることができる。
【００３８】
また、本発明の実施の形態のＬＥＤ照明ユニット１は、シール部５０が、電線挿通部６０の上方に配置され、挿入方向でシール本体部５１の後端面５１ａから後方に突出された上部突出片６１を有してなり、開口プロテクタ９０が、ハウジング１０内への挿入方向でプロテクタ基部９１の前端面９１ｄから突出され、プロテクタ基部９１がハウジング１０内に挿入された場合、電線挿通部６０に向かい合う位置に配置される突出電線ガイド部９４を有してなるので、電線Ｗが上部突出片６１、プロテクタ基部９１、および突出電線ガイド部９４に沿って屈曲された状態でハウジング１０内に保持され、結果的に電線Ｗと回路基板３１との接続部への外力負荷を低減することができる。
【００３９】
また、本発明の実施の形態のＬＥＤ照明ユニット１は、突出電線ガイド部９４が、電線Ｗの延在方向に直交する断面が電線Ｗの径に対応した曲面を形成されてなる電線ガイド溝９４ａが形成され、プロテクタ基部９１がハウジング１０内に挿入された場合に、電線ガイド溝９４ａが挿通孔６０ａに向かい合う位置に配置されるので、電線ガイド溝９４ａによって電線Ｗを確実にガイドすることができ、結果的に、より確実に電線Ｗの屈曲方向を規制することができる。
【００４０】
また、本発明の実施の形態のＬＥＤ照明ユニット１は、ハウジング１０が、取り付け面Ｂ２にボルト１００によって固定される固定部１３を有してなり、固定部１３がボルト１００の締結によって取り付け面Ｂ２に固定される際、開口プロテクタ９０の後端面９１ｅが取り付け面Ｂ２に当接されることによって、開口プロテクタ９０がハウジング１０内の所定位置に移動配置されるので、ＬＥＤ照明ユニット１の設置が容易となる。
【００４１】
なお、本発明の実施の形態のＬＥＤ照明ユニット１は、４本の電線Ｗを有してなるものを例示したが、電線Ｗの数は４本に限らない。すなわち１本以上の電線Ｗを有していればその他の本数であってもよい。
【００４２】
また、本発明の実施の形態のＬＥＤ照明ユニット１は、シール部５０が、環状シール部材５２および円筒状シール部材６０ｂを備えるものを例示したが、これに限らない。すなわち、シール部５０が防水機能を有していればよい。例えば、シール部５０が、隙間の埋め込み性を有する材料からなるものであれば、環状シール部材５２および円筒状シール部材６０ｂを有さなくても防水性を高めることができる。
【００４３】
また、本発明の実施の形態のＬＥＤ照明ユニット１は、ボルト１００によって取り付け面に締結されるものを例示したが、これに限らない。すなわち、その他の締結部材を用いても構わない。例えば、ボルト１００に代わってビスを用いても構わない。
【００４４】
また、本発明の実施の形態のＬＥＤ照明ユニット１は、傾斜配置突起部９３ａがプロテクタ基部９１の各側面９１ｃに上下２箇所ずつ、計４箇所に設けられてなるものを例示したが、これに限らない。すなわち、少なくとも一対の傾斜配置突起部９３ａを有していればよい。より具体的には、傾斜配置突起部９３ａがプロテクタ基部９１の両側面９１ｃの各側壁９１ｃに１箇所ずつ設けられていればよい。
【００４５】
また、本発明の実施の形態のＬＥＤ照明ユニット１は、外表面プロテクタ８０が、光透過性の材料からなるものを例示したが、これに限らない。すなわち、光透過性を有しない材料を用いても構わない。この場合、外表面プロテクタ８０の一部に開口を設けることによって光が外部に発せられるようにするとよい。
【００４６】
また、本発明の実施の形態のＬＥＤ照明ユニット１は、傾斜配置突起９３ａが、ほぼ直方体形状をなすものを例示したが、これに限らない。すなわち、傾斜配置突起９３ａの上面および下面が傾斜面９１ｂと等しく傾斜されていれば、その他の形状であっても構わない。例えば、立方体形状であってもよい。
【００４７】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４８】
１      ＬＥＤ照明ユニット
１０    ハウジング
１０ａ  開口
１０ｂ  内部下面
１０ｃ  ハウジング傾斜面
１０ｄ  開口端面
１１    光透過部
１２    開口端部
１２ａ  上壁
１２ｂ  板状突出部
１２ｄ  下壁
１２ｅ  側壁
１２ｃ  ボルト孔
１３    固定部
１４    第一のハウジング側係合部
１５    第二のハウジング側係合部
１６    第三のハウジング側係合部
３０    ＬＥＤ照明部
３１    回路基板
３２    ＬＥＤ素子
３３    端子
４０    ワイヤーハーネス部
４１    チューブ
５０    シール部
５１    シール本体部
５１ａ  後端面
５２    環状シール部材
６０    電線挿通部
６０ａ  挿通孔
６０ｂ  円筒状シール部材
６１    上部突出片
６２    側部突出片
７０    プロテクタ
８０    外表面プロテクタ
８０ａ  下壁
８１    第一の外表面プロテクタ側係合部
８２    第二の外表面側プロテクタ側係合部
９０    開口プロテクタ
９１    プロテクタ基部
９１ａ  下面
９１ｂ  傾斜面
９１ｃ  側面
９１ｄ  前端面
９１ｅ  後端面
９２    突出板部
９２ａ  上傾斜縁面
９２ｂ  下傾斜縁面
９２ｃ  前縁面
９２ｄ  尖形部
９３    開口プロテクタ側係合部
９３ａ  傾斜配置突起
９３ｂ  上面
９３ｃ  下面
９３ｄ  前面
９３ｅ  前端
９３ｆ  後端
９４    突出電線ガイド部
９４ａ  電線ガイド溝
１００  ボルト
Ｂ      ボデー
Ｂ１    ワイヤーハーネス挿通口
Ｂ２    取り付け面
Ｂ３    ボデー側ボルト孔
Ｃ      コネクタ
Ｗ      電線
【図１】
2012221747.tif 000003
【図２】
2012221747.tif 000004
【図３】
2012221747.tif 000005
【図４】
2012221747.tif 000006
【図５】
2012221747.tif 000007
【図６】
2012221747.tif 000008
【図７】
2012221747.tif 000009
【図８】
2012221747.tif 000010
【図９】
2012221747.tif 000011
【図１０】
2012221747.tif 000012